(57)【特許請求の範囲】
【請求項１】
移動通信システムにおける無線制御装置であって、物理的に分離された装置内の無線制御信号を終端するＣ−プレーンと伝送路制御信号を終端するＴ−プレーンとの間において、バインディングＩＤ（識別子）の取得要求信号を送る手段と、前記バインディングＩＤ（識別子）の取得要求信号を受けて、要求されたバインディングＩＤを含ませて応答信号を送る手段とを有することを特徴とする無線制御装置。
【請求項２】
前記取得要求信号を送る手段と応答信号を送る手段は、更に、前記Ｃ−プレーンと前記Ｔ−プレーンとの間において、伝送路制御の成功もしくは失敗を示す信号を授受することを特徴とする請求項１記載の無線制御装置。
【請求項３】
Ｄｒｉｆｔ ＲＮＣとして動作することを特徴とする請求項１又は２記載の無線制御装置。
【請求項４】
移動通信システムにおける無線制御装置の動作制御方法であって、物理的に分離された装置内の無線制御信号を終端するＣ−プレーンと伝送路制御信号を終端するＴ−プレーンとの間において、バインディングＩＤ（識別子）の取得要求信号を送るステップと、前記バインディングＩＤ（識別子）の取得要求信号を受けて、要求されたバインディングＩＤを含ませて応答信号を送るステップとを含むことを特徴とする動作制御方法。
【請求項５】
更に、前記Ｃ−プレーンと前記Ｔ−プレーンとの間において、伝送路制御の成功もしくは失敗を示す信号を送るステップと、前記伝送路制御の成功もしくは失敗を示す信号を受けるステップとを含むことを特徴とする請求項４記載の動作制御方法。
【請求項６】
前記無線制御装置は、Ｄｒｉｆｔ ＲＮＣとして機能することを特徴とする請求項４又は５記載の動作制御方法。
【請求項７】
物理的に分離されたＣ−プレーンとＴ−プレーンとを有する無線制御装置で用いられるプログラムであって、装置内の無線制御信号を終端するＣ−プレーン又は伝送路制御信号を終端するＴ−プレーンを、バインディングＩＤ（識別子）の取得要求信号を送る手段と、前記バインディングＩＤ（識別子）の取得要求信号を受けて、要求されたバインディングＩＤを含ませて応答信号を送る手段として機能させることを特徴とするプログラム。
【請求項８】
前記取得要求信号を送る手段および応答信号を送る手段に対して、前記Ｃ−プレーンと前記Ｔ−プレーンとの間において、伝送路制御の成功もしくは失敗を示す信号を授受する処理を行わせることを特徴とする請求項７記載のプログラム。
【発明の詳細な説明】
【技術分野】
【０００１】
本発明は無線制御装置及びその動作制御方法に関し、特にＣ−プレーンとＴ−プレーンとを分離可能とした無線制御装置及びその動作制御方法に関するものである。
【背景技術】
【０００２】
Ｗ−ＣＤＭＡ方式の移動通信システムのアーキテクチャを図５に示す。図５を参照すると、本システムは、ＣＮ（コアネットワーク）１０と、ＲＮＣ（Ｒａｄｉｏ  Ｎｅｔｗｏｒｋ  Ｃｏｎｔｒｏｌｌｅｒ：無線制御装置）２０，３０と、Ｎｏｄｅ  Ｂ（無線基地局）４０，５０，６０，７０とにより構成されている。ＲＮＣ２０，３０はＣＮ１０とＩｕインタフェースを介して接続されており、また、Ｎｏｄｅ  Ｂ４０，５０や６０，７０とＩｕｂインタフェースを介して接続されている。また、ＲＮＣ２０，３０同士はＩｕｒインタフェースを介して接続されている。
この様な図５に示したアーキテクチャの詳細は３ＧＰＰ（３ｒｄ  Ｇｅｎｅｒａｔｉｏｎ  Ｐａｒｔｎｅｒｓｈｉｐ  Ｐｒｏｊｅｃｔ）に規定されており、周知であり、特開２００２−１９９４４０号公報、特開２００３−２８３５９６号公報及び特開２００４−００７０８４号公報にも開示されている。
この様な移動通信システムにおいて、図示せぬ移動端末が、Ｎｏｄｅ  Ｂを介してＣＮ１０を含むネットワーク側と情報の送受信を行うためには、必要に応じて、Ｉｕｂ，Ｉｕｒ，Ｉｕの各インタフェースにおける伝送路資源を確保することが必要である。これら伝送路としてＡＴＭ回線が用いられる場合、ＲＮＣ２０，３０とＮｏｄｅ  Ｂ４０，５０，６０，７０との各間において、ＡＬＣＡＰ（Ａｃｃｅｓｓ  Ｌｉｎｋ  Ｃｏｎｔｒｏｌ  Ａｐｐｌｉｃａｔｉｏｎ  Ｐａｒｔ）プロトコルと称される、トランスポート層の伝送路制御プロトコルを用いて伝送路資源の確保が行われる。
また、Ｎｏｄｅ  ＢとＲＮＣとの間で無線リソースをネゴシエートする必要があるが、そのためには、ＮＢＡＰ（Ｎｏｄｅ  Ｂ  Ａｐｐｌｉｃａｔｉｏｎ  Ｐａｒｔ）プロトコルと称される無線制御プロトコルを用いて無線資源の確保が行われる。図６には、ＲＮＣ／Ｎｏｄｅ  Ｂ間のインタフェースＩｕｂにおける、上述したＡＬＣＡＰプロトコル及びＮＢＡＰプロトコルの関係の概略を示している。
また、同時に、ＡＬＣＡＰで使用されるＢｉｎｄｉｎｇ（バインディング）ＩＤと呼ばれる識別子も、ＲＮＣとＮｏｄｅ  Ｂ間で交換される。このＢｉｎｄｉｎｇ  ＩＤは、Ｎｏｄｅ  Ｂに対して、ＮＢＡＰメッセージとＡＬＣＡＰメッセージとが送信されるに際して、ＮＢＡＰ／ＡＬＣＡＰメッセージの両者が特定の呼に関連していることを、当該Ｎｏｄｅ  Ｂに示すために使用される識別子である。なお、このＢｉｎｄｉｎｇ  ＩＤ、ＡＬＣＡＰ／ＮＢＡＰプロトコル、ＡＬＣＡＰ／ＮＢＡＰメッセージなどの詳細は、上述した３ＧＰＰに詳細に規定されているものである。
図７は、図示せぬＵＥ（ユーザ端末：Ｕｓｅｒ  Ｅｑｕｉｐｍｅｎｔ）がハンドオーバに際して、Ｓｅｒｖｉｎｇ（サービング）ＲＮＣからＤｒｉｆｔ（ドリフト）ＲＮＣへ移行する際の概略動作シーケンス図であり、その詳細は、上述した３ＧＰＰに規定されている。図７を参照すると、Ｓｅｒｖｉｎｇ  ＲＮＣは無線制御信号Ａ１をＤｒｉｆｔ  ＲＮＣに送信する（ステップＳ１）。Ｄｒｉｆｔ  ＲＮＣはこの信号を基に無線制御信号Ｂ１をＮｏｄｅ  Ｂに送信する（ステップＳ２）。
Ｎｏｄｅ  ＢはＢｉｎｄｉｎｇ  ＩＤ＃１という識別子を作成し（ステップＳ３）、Ｄｒｉｆｔ  ＲＮＣに対して、その識別子を含んだ無線制御応答信号Ｂ２を送信する（ステップＳ４）。Ｄｒｉｆｔ  ＲＮＣはＢｉｎｄｉｎｇ  ＩＤ＃２という識別子を作成し（ステップＳ５）、Ｓｅｒｖｉｎｇ  ＲＮＣに対して、その識別子を含んだ無線制御応答信号Ａ２を送信する（ステップＳ６）。
Ｓｅｒｖｉｎｇ  ＲＮＣはＢｉｎｄｉｎｇ  ＩＤ＃２を含んだ伝送路制御信号Ａ３をＤｒｉｆｔ  ＲＮＣに送信する（ステップＳ７）。Ｄｒｉｆｔ  ＲＮＣは、Ｂｉｎｄｉｎｇ  ＩＤ＃２により、前に受信した無線制御信号Ａ１が伝送路制御信号Ａ３に関係があることを検出する（ステップＳ８）。Ｄｒｉｆｔ  ＲＮＣは、Ｓｅｒｖｉｎｇ  ＲＮＣに対して、伝送路制御応答信号Ａ４を送信する（ステップＳ９）。Ｄｒｉｆｔ  ＲＮＣはＮｏｄｅ  Ｂに対してＢｉｎｄｉｎｇ  ＩＤ＃１を含んだ伝送路制御信号Ｂ３を送信する（ステップＳ１０）。
Ｎｏｄｅ  Ｂは、Ｂｉｎｄｉｎｇ  ＩＤ＃１により、前に受信した無線制御信号Ｂ１が伝送路制御信号Ｂ３に関係があることを検出する（ステップＳ１１）。Ｎｏｄｅ  ＢはＤｒｉｆｔ  ＲＮＣに対して伝送路制御応答信号Ｂ４を送信する（ステップＳ１２）。
【発明の開示】
【発明が解決しようとする課題】
【０００３】
ＲＮＣは、機能的には、Ｕ−プレーン（Ｕｓｅｒ−Ｐｌａｎｅ）と、Ｃ−プレーン（Ｃｏｎｔｒｏｌ  Ｐｌａｎｅ）と、Ｔ−プレーン（Ｔｒａｎｓｐｏｒｔ−Ｐｌａｎｅ）との三つに大別することができる。Ｕ−プレーンはユーザ情報の転送をなす機能部分であり、Ｃ−プレーンは無線制御信号の転送制御をなす機能部分であり、Ｔ−プレーンは伝送路制御をなす機能部分である。
ここで、Ｕ−プレーンとＣ−プレーンとを物理的に分離して、システムのスケラビィリティを確保する技術が、特開２００４−０３２３３３号公報、特開２００４−１９４０６４号公報、特開２００４−２４７８２３号公報及び特開２００５−２５２５０２号公報に提案されている。そこで、Ｔ−プレーンに関しても、物理的に分離することが考えられる。この場合、Ｔ−プレーンとＣ−プレーンとの間で、以下の様な課題が生ずる。図８を参照してこの課題を説明する。図８では、Ｃ−Ｐｌａｎｅ，Ｔ−Ｐｌａｎｅが分離されたＲＮＣがＤｒｉｆｔ  ＲＮＣであるケースを説明しており、図７と同等ステップは同一符号により示している。
Ｃ−プレーンは無線制御信号の送受信を行い、Ｔ−プレーンは伝送路制御信号の送受信を行うものである。Ｓｅｒｖｉｎｇ  ＲＮＣから無線制御信号Ａ１を受けると（ステップＳ１）、Ｎｏｄｅ  Ｂに対して、無線制御信号Ｂ１を送信する（ステップＳ２）。Ｎｏｄｅ  ＢからのＢｉｎｄｉｎｇ  ＩＤ＃１（ステップＳ３で得られたもの）を含む無線制御信号Ｂ２は、Ｃ−プレーンにて受信される（ステップＳ４）。
この後、Ｂｉｎｄｉｎｇ  ＩＤ＃２を含む無線制御信号Ａ２をＳｅｒｖｉｎｇ  ＲＮＣに送信する必要があり（図７のステップＳ６参照）、よって、Ｄｒｉｆｔ  ＲＮＣでは、このＢｉｎｄｉｎｇ  ＩＤ＃２を設定することが必要となる（ステップＳ５参照）。この場合において、このＢｉｎｄｉｎｇ  ＩＤ＃２はＣ−プレーンとＴ−プレーンとに共通の識別子でなくてはならない。そこで、物理的に分離されたＣ−プレーンとＴ−プレーンとに共通のＢｉｎｄｉｎｇ  ＩＤ＃２を取得する機能が必要になる。
そして、Ｓｅｒｖｉｎｇ  ＲＮＣからの伝送路制御信号Ａ３の受信に始まり（図７のステップＳ７）、Ｎｏｄｅ  Ｂからの伝送路制御応答信号Ｂ４のＤｒｉｆｔ  ＲＮＣにおける受信で一連の処理が終了することになる（図７のステップＳ１２）が、このＤｒｉｆｔ  ＲＮＣでは、伝送路制御応答信号Ｂ４はＴ−プレーンで受信されるために、Ｃ−プレーンでは、その終了を知ることはできないので、正常終了したのか、異常終了したのか判断できないという課題もある。
本発明の目的は、Ｃ−プレーンとＴ−プレーンとの間において新規信号を定義して、両プレーンの物理的分離を可能としたＤｉｆｔ  ＲＮＣ（無線制御装置）及びその動作制御方法並びにプログラムを提供することである。
【課題を解決するための手段】
【０００４】
本発明による無線制御装置は、移動通信システムにおける無線制御装置であって、無線制御信号を終端するＣ−プレーンと伝送路制御信号を終端するＴ−プレーンとの間において、前記無線制御信号と前記伝送路制御信号との関連を示すバインディングＩＤの取得要求信号及びその応答信号を授受する手段を含むことを特徴とする。更に、前記手段は、前記Ｃ−プレーンと前記Ｔ−プレーンとの間において、伝送路制御成功の有無を示す信号を授受することを特徴とする。
本発明による無線制御装置の動作制御方法は、移動通信システムにおける無線制御装置の動作制御方法であって、無線制御信号を終端するＣ−プレーンと伝送路制御信号を終端するＴ−プレーンとの間において、前記無線制御信号と前記伝送路制御信号との関連を示すバインディングＩＤの取得要求信号及びその応答信号を授受するステップを含むことを特徴とする。更に、前記Ｃ−プレーンと前記Ｔ−プレーンとの間において、伝送路制御成功の有無を示す信号を授受するステップを含むことを特徴とする。
本発明によるプログラムは、移動通信システムにおける無線制御装置の動作制御方法をコンピュータに実行させるためのプログラムであって、無線制御信号を終端するＣ−プレーンと伝送路制御信号を終端するＴ−プレーンとの間において、前記無線制御信号と前記伝送路制御信号との関連を示すバインディングＩＤの取得要求信号及びその応答信号を授受する処理を含むことを特徴とする。更に、前記Ｃ−プレーンと前記Ｔ−プレーンとの間において、伝送路制御成功の有無を示す信号を授受する処理を含むことを特徴とする。
本発明の作用を述べる。Ｄｒｉｆｔ  ＲＮＣにおけるＣ−プレーンとＴ−プレーンとの間において、新規な制御信号を定義導入する。この新規信号は、Ｂｉｎｄｉｎｇ  ＩＤ取得要求／応答信号および伝送路制御成功通知信号である。このように、Ｂｉｎｄｉｎｇ  ＩＤ取得を目的としたＣ／Ｔ−プレーン間の信号を新規に設けているので、伝送路信号を送出せずにＢｉｎｄｉｎｇ  ＩＤの取得ができ、またＮｏｄｅ  Ｂ，Ｄｒｉｆｔ  ＲＮＣ，Ｓｅｒｖｉｎｇ  ＲＮＣの三者間の伝送路制御が完了したことをＴ−プレーンからＣ−プレーンに通知する信号を新規に設けているので、Ｃ−プレーンは、関連する処理が終了したことを認識できる。よって、Ｃ／Ｔプレーンを物理的に分離しても、Ｄｒｉｆｔ  ＲＮＣとして矛盾なく動作できる。
【発明の効果】
【０００５】
本発明による第１の効果は、Ｂｉｎｄｉｎｇ  ＩＤ取得を目的としたＣ／Ｔ−プレーン間の信号を新規に設けているので、伝送路信号を送出せずにＢｉｎｄｉｎｇ  ＩＤの取得ができることである。
本発明による第２の効果は、Ｎｏｄｅ  Ｂ，Ｄｒｉｆｔ  ＲＮＣ，Ｓｅｒｖｉｎｇ  ＲＮＣの三者間の伝送路制御が完了したことをＴ−プレーンからＣ−プレーンに通知する信号を新規に設けているので、Ｃ−プレーンは、関連する処理が終了したことを認識できることである。
本発明による第３の効果は、Ｃ／Ｔ−プレーン間の新規信号処理と既存の信号処理を組み合わせているので、Ｄｒｉｆｔ  ＲＮＣを、Ｃ−プレーン、Ｔ−プレーンに分離した際にも、矛盾無く動作できることである。
【図面の簡単な説明】
【０００６】
図１は本発明の実施例が適用されるシステム概略図である。
図２は本発明の実施例のＤｒｉｆｔ  ＲＮＣの機能ブロック図である。
図３は本発明の一実施の形態の動作を示すシーケンス図である。
図４は本発明の他の実施の形態の動作を示すシーケンス図である。
図５はＷ−ＣＤＭＡ方式の移動通信システムのアーキテクチャを示す図である。
図６は図５におけるＲＮＣとＮｏｄｅ  Ｂとの間のインタフェースＩｕｂにおけるプロトコルの関係を示す図である。
図７は従来技術におけるＳｅｒｖｉｎｇ  ＲＮＣ、Ｄｒｉｆｔ  ＲＮＣ、Ｎｏｄｅ  Ｂの動作シーケンス図である。
図８はＤｒｉｆｔ  ＲＮＣをＣ−プレーンとＴ−プレーンとに分離した時の動作シーケンス図である。
【発明を実施するための最良の形態】
【０００７】
以下に、図面を参照しつつ本発明の実施の形態について説明する。図１は本発明の原理を説明するためのシステム概略図である。図１を参照すると、Ｓｅｒｖｉｎｇ  ＲＮＣ２０と、Ｄｒｉｆｔ  ＲＮＣ３０と、Ｎｏｄｅ  Ｂ４０とが設けられている。Ｓｅｒｖｉｎｇ  ＲＮＣ２０は、Ｄｒｉｆｔ  ＲＮＣ３０との間の無線制御信号と伝送路制御信号を終端する機能を有する。
そして、Ｄｒｉｆｔ  ＲＮＣ３０はＣ−プレーン３１およびＴ−プレーン３２を有しており、これらは物理的に分離可能な構成であるものとする。Ｃ−プレーン３１はＮｏｄｅ  Ｂ４０とＳｅｒｖｉｎｇ  ＲＮＣ２０との間の無線制御信号を終端する機能を有し、Ｔ−プレーン３２はＮｏｄｅ  Ｂ４０とＳｅｒｖｉｎｇ  ＲＮＣ２０との間の伝送路制御信号を終端する機能を有する。そして、Ｃ−プレーン３１とＴ−プレーン３２との間において、新たな信号３００を定義する。この信号３００としては、Ｂｉｎｄｉｎｇ  ＩＤ取得要求／応答信号と、伝送路制御成功信号とを有しているものとする。
Ｃ／Ｔ−プレーンはこれらＢｉｎｄｉｎｇ  ＩＤ取得要求／応答信号と、伝送路制御成功信号とを終端するものであり、Ｎｏｄｅ  Ｂ４０はＤｒｉｆｔ  ＲＮＣ３０との間の無線制御信号と伝送路制御信号とを終端するものである。
図２を参照すると、本発明の一実施例としてのＤｒｉｆｔ  ＲＮＣ３０の構成が示されている。図２において、Ｄｒｉｆｔ  ＲＮＣ３０はＣ−プレーン３１およびＴ−プレーン３２からなる。Ｃ−プレーンは無線制御信号部３１１、Ｃ／Ｔ間制御信号部３１２、データ格納部３１３からなる。無線制御信号部３１１はＮｏｄｅ  Ｂ４０／Ｓｅｒｖｉｎｇ  ＲＮＣ２０との無線制御信号の送受信を行う。Ｃ／Ｔ間制御信号部３１２はＣ−プレーンとＴ−プレーン間の制御信号の送受信を行う。
Ｃ−プレーンとＴ−プレーン間の制御信号３００には、Ｂｉｎｄｉｎｇ  ＩＤ取得要求／応答信号および伝送路制御成功通知信号が含まれる。データ格納部３１３は、無線制御信号部３１１およびＣ／Ｔ間制御信号部３１２の動作に必要なデータの書き込み／読み出しを行う。
Ｔ−プレーン３２は伝送路制御信号部３２１、Ｃ／Ｔ間制御信号部３２２、データ格納部３２３からなる。伝送路制御信号部３２１はＮｏｄｅ  Ｂ４０／Ｓｅｒｖｉｎｇ  ＲＮＣ２０との伝送路制御信号の送受信を行う。Ｃ／Ｔ間制御信号部３２２はＣ−プレーンとＴ−プレーン間の制御信号の送受信を行う。データ格納部３１３は、伝送路制御信号部３２１およびＣ／Ｔ間制御信号部３２２の動作に必要なデータの書き込み／読み出しを行う。
以上詳細に実施の形態の構成を述べたが、図２の無線制御信号部や伝送路制御信号部は、当業者にとってよく知られており、また、本発明とは直接関係しないので、その詳細な構成は省略する。
図３は本発明の実施の形態の動作を示すシーケンス図である。図３において、無線制御信号Ａ１が、Ｓｅｒｖｉｎｇ  ＲＮＣ２０からＤｒｉｆｔ  ＲＮＣ３０のＣ−プレーン３１に与えられると（ステップＳ２１）、Ｃ−プレーン３１は、無線制御信号Ａ１を変換処理し、無線制御信号Ｂ１をＮｏｄｅ  Ｂ４０に供給する（ステップＳ２２）。
Ｎｏｄｅ  Ｂ４０は、Ｂｉｎｄｉｎｇ  ＩＤ＃１をＮｏｄｅ  Ｂ４０の内部で取得し（ステップＳ２３）、このＢｉｎｄｉｎｇ  ＩＤ＃１を含んだ無線制御応答信号Ｂ２をＣ−プレーン３１に供給する（ステップＳ２４）。Ｃ−プレーン３１は無線制御応答信号Ｂ２を得ると、Ｂｉｎｄｉｎｇ  ＩＤ＃１を含んだＢｉｎｄｉｎｇ  ＩＤ取得要求信号をＴ−プレーン３２に供給する（ステップＳ２５）。Ｔ−プレーン３２はＢｉｎｄｉｎｇ  ＩＤ＃２をＴ−プレーン３２の内部で取得し、Ｂｉｎｄｉｎｇ  ＩＤ＃１とＢｉｎｄｉｎｇ  ＩＤ＃２とを、互いに関連付けて記憶する（ステップＳ２６）。
Ｔ−プレーン３２はＢｉｎｄｉｎｇ  ＩＤ＃２を含んだＢｉｎｄｉｎｇ  ＩＤ取得応答信号をＣ−プレーン３１に供給する（ステップＳ２７）。Ｃ−プレーン３１はＢｉｎｄｉｎｇ  ＩＤ取得応答信号を得ると、Ｂｉｎｄｉｎｇ  ＩＤ＃２を含んだ無線制御応答信号Ａ２をＳｅｒｖｉｎｇ  ＲＮＣ２０に供給する（ステップＳ２８）。Ｓｅｒｖｉｎｇ  ＲＮＣ２０はＢｉｎｄｉｎｇ  ＩＤ＃２を含んだ伝送路制御信号Ａ３をＴ−プレーン３２に供給する（ステップＳ２９）。Ｔ−プレーン３２はＢｉｎｄｉｎｇ  ＩＤ＃２を得ると、関連付けたＢｉｎｄｉｎｇ  ＩＤ＃１を呼び出す（ステップＳ３０）。Ｔ−プレーン３２は伝送路制御応答信号Ａ４をＳｅｒｖｉｎｇ  ＲＮＣ２０に供給する（ステップＳ３１）。
Ｔ−プレーン３２はＢｉｎｄｉｎｇ  ＩＤ＃１を含んだ伝送路制御信号Ｂ３をＮｏｄｅ  Ｂ４０に供給する（ステップＳ３２）。Ｎｏｄｅ  Ｂ４０は、Ｂｉｎｄｉｎｇ  ＩＤ＃１を得ると、伝送路制御信号Ｂ３が無線制御信号Ｂ１と関連があることを検出する（ステップＳ３３）。Ｎｏｄｅ  Ｂ４０は伝送路制御応答信号Ｂ４をＴ−プレーン３２に供給する（ステップＳ３４）。Ｔ−プレーン３２は伝送路制御応答信号Ｂ４を得ると、伝送路制御成功通知信号をＣ−プレーン３１に供給する（ステップＳ３５）。
こうすることにより、Ｔ−プレーン３２は伝送路信号を送出せずにＢｉｎｄｉｎｇ  ＩＤの取得ができ、また、Ｔ−プレーンとＣ−プレーンとに共通のＢｉｎｄｉｎｇ  ＩＤが取得可能となる。更に、Ｃ−プレーン３１において関連する処理が終了したことを認識することができることになる。
次に、本発明の他の実施の形態の動作について、図４を参照して説明する。本例では、基本的構成は先の実施の形態のとおりであるが、異常処理の場合についての動作に関し工夫している。なお、図４において、図３と同等ステップには同一符号を示している。
図４において、ステップＳ２１〜Ｓ３２までは、図３の実施の形態のステップＳ２１〜〜Ｓ３２までと同一であるので、その説明は省略する。次のステップＳ３６において、Ｎｏｄｅ  Ｂ４０が伝送路制御に失敗すると、Ｎｏｄｅ  Ｂ４０は伝送路制御失敗信号Ｂ５をＴ−プレーン３２に供給する（ステップＳ３７）。Ｔ−プレーン３２は伝送路制御失敗信号Ｂ５を得ると、伝送路制御失敗通知信号をＣ−プレーン３１に供給する（ステップＳ３８）。Ｃ−プレーン３１は無線制御解放依頼信号Ａ５をＳｅｒｖｉｎｇ  ＲＮＣ２０に供給する（ステップＳ３９）。
これにより、Ｓｅｒｖｉｎｇ  ＲＮＣ２０は無線制御と伝送路制御との関連付けまでに至らなかったことを知ることができる。このように、本例では、Ｔ−プレーン３２が、Ｃ−プレーン３１に対して伝送路制御が失敗したことを通知しているので、異常処理においても矛盾なく動作することができることになる。
以上述べた各実施の形態における動作処理は、予めその動作手順をプログラムとしてＲＯＭなどの記録媒体に格納しておき、これをコンピュータにより読み取らせて実行させる様にすることができることは明らかである。
【図１】
0004730567.tif 000002
【図２】
0004730567.tif 000003
【図３】
0004730567.tif 000004
【図４】
0004730567.tif 000005
【図５】
0004730567.tif 000006
【図６】
0004730567.tif 000007
【図７】
0004730567.tif 000008
【図８】
0004730567.tif 000009